(57)【要約】【課題】  安価に製造可能とする。【解決手段】  ジョイントコネクタ１は、複数の電線５０に接続された複数の接続端子１０と、これらを収容するハウジング２０と、ハウジング２０に取り付けられるバスバー３０とを備えて構成される。接続端子１０は、接続部１１が先端が二股に分岐されたフォーク部１５を複数備えた形状からなり、相手方接続端子８０の接続部８１やバスバー３０の分岐端子部３１が挿入されその分岐部分で挟持接続される。接続端子１０は、プレス加工などにより安価に製造することができ、また、ハウジング２０に装着したバスバー３０をハウジング２０に留めるためのキャップ部材等の部品が不要となるため、安価にジョイントコネクタを製造することができる。【選択図】  図１
2005123100.tif 000002
【特許請求の範囲】
【請求項１】
先端側に相手方接続端子及び短絡部材と接続される接続部が形成され基端側に電線の芯線と接続される電線接続部及び電線を固定保持する電線固定部が形成された複数の接続端子と、
前記複数の接続端子を所定配列状態で収容する複数の端子収容室を有するハウジングと、
このハウジングに装着され前記複数の端子収容室に収容された前記複数の接続端子間を短絡させる短絡部材とを備え、
前記複数の接続端子は、前記接続部が先端が二股に分岐されその分岐部分で前記相手方接続端子及び短絡部材の少なくとも１つを挟持接続するフォーク部が複数形成された構造からなり、
前記ハウジングは、前記複数の端子収容室における前記接続端子の接続部収容部分がそれぞれ前記複数のフォーク部を収容する接続部収容室を形成し、且つ各接続部収容室同士を連通する連通空間部が形成されたものであり、
前記短絡部材は、前記連通空間部に収容される本体部と、この本体部から延びて所定のフォーク部の分岐部分に挿入される挿入部とを備えてなる
ことを特徴とするジョイントコネクタ。
【請求項２】
前記複数の接続端子の接続部は、前記複数のフォーク部がその分岐部分を結ぶ方向に直線状に並設された形状からなる
ことを特徴とする請求項１記載のジョイントコネクタ。
【請求項３】
前記複数の接続端子の接続部は、前記複数のフォーク部がその分岐部分を結ぶ方向が直交するＬ字型の形状からなる
ことを特徴とする請求項１記載のジョイントコネクタ。
【請求項４】
前記短絡部材は、前記連通空間部に収容される板状の本体部と、この本体部の板面に対して立設された板状の挿入部とを備えてなる
ことを特徴とする請求項３記載のジョイントコネクタ。
【発明の詳細な説明】
【技術分野】
【０００１】
本発明は、自動車等に搭載されるワイヤハーネスのジョイントコネクタに関し、特に安価に製造することができるジョイントコネクタに関する。
【背景技術】
【０００２】
従来から、自動車等のワイヤハーネスの接続に使用されるジョイントコネクタとしては、ワイヤハーネスの各電線に接続された多数の接続端子をハウジング内に収容し、これらの接続端子をバスバー等で短絡させて相互接続して、分岐回路を構成するものが知られている（例えば、特許文献１参照。）。
【０００３】
【特許文献１】特許第３０６７５７０号公報（第３−４頁、第１−６図）
【発明の開示】
【発明が解決しようとする課題】
【０００４】
しかしながら、特許文献１に記載のジョイントコネクタでは、端子の先端を折り返してバスバーとの接続用の接触片を形成しているため、端子の構造が複雑となり端子製造工数が増えて端子のコストが高くなってしまいジョイントコネクタのコストが上昇してしまうおそれがある。
【０００５】
本発明は、このような問題点に鑑みてなされたもので、安価に製造することができるジョイントコネクタを提供することを目的とする。
【課題を解決するための手段】
【０００６】
本発明に係るジョイントコネクタは、先端側に相手方接続端子及び短絡部材と接続される接続部が形成され基端側に電線の芯線と接続される電線接続部及び電線を固定保持する電線固定部が形成された複数の接続端子と、前記複数の接続端子を所定配列状態で収容する複数の端子収容室を有するハウジングと、このハウジングに装着され前記複数の端子収容室に収容された前記複数の接続端子間を短絡させる短絡部材とを備え、前記複数の接続端子は、前記接続部が先端が二股に分岐されその分岐部分で前記相手方接続端子及び短絡部材の少なくとも１つを挟持接続するフォーク部が複数形成された構造からなり、前記ハウジングは、前記複数の端子収容室における前記接続端子の接続部収容部分がそれぞれ前記複数のフォーク部を収容する接続部収容室を形成し、且つ各接続部収容室同士を連通する連通空間部が形成されたものであり、前記短絡部材は、前記連通空間部に収容される本体部と、この本体部から延びて所定のフォーク部の分岐部分に挿入される挿入部とを備えてなることを特徴とする。
【０００７】
なお、このジョイントコネクタの複数の接続端子の接続部は、例えば（１）複数のフォーク部がその分岐部分を結ぶ方向に直線状に並設された形状であったり、（２）複数のフォーク部がその分岐部分を結ぶ方向が直交するＬ字型の形状であったりすると良い。
【０００８】
また、このジョイントコネクタにおいて短絡部材は、上記（２）の場合、例えば連通空間部に収容される板状の本体部と、この本体部の板面に対して立設された板状の挿入部とを備えてなると良い。
【発明の効果】
【０００９】
本発明によれば、ハウジングに収容される複数の接続端子の接続部が先端が二股に分岐されその分岐部分で相手方接続端子や短絡部材を挟み込んで接続する複数のフォーク部が形成された、従来の接続端子と比べてプレス加工などにより安価に製造することができる構造からなるため、その接続端子を用いて安価にジョイントコネクタを製造することが可能となる。
また、短絡部材を直接ハウジングの接続部収容室の連通空間部に装着するため、従来のキャップ部材等の短絡部材を覆いハウジングに留めるための部品が不要となり、安価にジョイントコネクタを製造することができる。
【発明を実施するための最良の形態】
【００１０】
以下、添付の図面を参照して、本発明の好ましい実施の形態を説明する。
【００１１】
図１は、本発明の一実施形態に係るジョイントコネクタ及び他のコネクタを示す分解斜視図、図２は、これらのコネクタを嵌合させた様子を示す一部断面図、図３は、このジョイントコネクタの正面図、図４は、このジョイントコネクタの接続端子を示す外観斜視図である。
図１に示すように、ジョイントコネクタ１は、例えば複数の電線５０に接続された金属製の複数の接続端子１０（図２及び図４参照）と、これら複数の接続端子１０が収容される樹脂成型部材からなるハウジング２０と、同じくこのハウジング２０に収容される金属製の短絡部材としてのバスバー３０とから構成されており、相手方コネクタ９０と嵌合される構造からなる。
【００１２】
複数の接続端子１０は、図２及び図４に示すように、この例ではそれぞれ相手方コネクタ９０に収容された相手方接続端子８０の板状の接続部８１又はバスバー３０の分岐端子部３１と接続される接続部１１と、端末部において芯線５１が露出（口出し）された電線５０の芯線５１と圧着等により接続される電線接続部１２とを有し、更に電線５０を加締め等により固定保持する電線固定部１３と、これら接続部１１、電線接続部１２及び電線固定部１３を連結する帯板形状の帯板部１４とを備えて構成されている。これら複数の接続端子１０の接続部１１は、例えば先端が二股に分岐されその分岐部分で相手方接続端子８０の接続部８１及びバスバー３０の分岐端子部３１の少なくとも１つを挟み込んで接続するフォーク部１５が、スリット部１７を挟んでその分岐部分を結ぶ方向に直線状に並設された形状を備えている。
【００１３】
ハウジング２０は、図２に示すように、例えば複数の接続端子１０をそれぞれ収容する列形状に形成された複数の端子収容室２１を有し、これら複数の端子収容室２１の接続端子１０の接続部１１収容部分はそれぞれ接続部１１のフォーク部１５を収容する接続部収容室２２を形成してなる。このハウジング２０には、接続端子１０の接続部１１のフォーク部１５の形状に合わせて、例えば上下２段の接続部収容室２２が形成されており、下段の各接続部収容室２２は、各接続部収容室２２の少なくとも一部が連通する連通空間部２２ａを備えた形状で形成されている。なお、各端子収容室２１の各接続部収容室２２の間には、接続端子１０の接続部１１のスリット部１７に嵌る壁部２６が形成されている。
【００１４】
バスバー３０は、例えば平板状の金属片からなり、打ち抜き加工などによりハウジング２０への挿入側に延びる接続端子１０の接続部１１のフォーク部１５と接続される複数の分岐端子部３１が形成され、これら複数の分岐端子部３１の基端側に本体部３２が形成された形状からなる。
【００１５】
なお、図３に示すように、各接続部収容室２２のうち、上段の各接続部収容室２２の開口側には、相手方接続端子８０の接続部８１をハウジング２０に挿入するための端子挿入口２３が形成され、下段の各接続部収容室２２の開口側には、バスバー３０をハウジング２０に挿入するためのバスバー挿入口２４が形成されている。このバスバー挿入口２４は、下段の各接続部収容室２２を連通する連通空間部２２ａと連続している。
【００１６】
また、ハウジング２０の各端子収容室２１内には、例えば収容された各接続端子１０をそれぞれ端子収容室２１内に係止固定するための弾性片からなる端子ランス部２５（図２参照）が形成されており、各接続端子１０には、端子ランス部２５と係合する端子穴部１６が形成されている。これら端子ランス部２５と端子穴部１６とで、接続端子１０は端子収容室２１内で確実にハウジング２０に係止固定されるため、図２に示すような相手方コネクタ９０内に収容された相手方接続端子８０の接続部８１との接続時に接続端子１０が端子収容室２１から外れてしまうことを回避することが可能な構造となっている。
【００１７】
なお、相手方コネクタ９０とジョイントコネクタ１との嵌合状態は、例えばジョイントコネクタ１のハウジング２０に形成された突起部２８を有する弾性係合片２７と相手方コネクタ９０に形成された突起部２８が係合する端部を有する係合枠部９１とを係合することにより保持される。
【００１８】
このように構成されたジョイントコネクタ１では、電線５０に接続された接続端子１０をハウジング２０の基端側から端子収容室２１に収容し、バスバー３０をハウジング２０の先端側のバスバー挿入口２４から挿入して本体部３２を連通空間部２２ａに収容するだけで、下段の接続部収容室２２内で接続端子１０の接続部１１のフォーク部１５の分岐部分にバスバー３０の分岐端子部３１を挿入して接続することができるため、ハウジング２０に収容された接続端子１０同士を短絡させることができる。また、この状態で、相手方コネクタ９０をジョイントコネクタ１に嵌合すれば、相手方接続端子８０の接続部８１を端子挿入口２３から挿入して上段の接続部収容室２２内で接続端子１０の接続部１１のフォーク部１５の分岐部分に挿入して接続することができると共に、バスバー挿入口２４が相手方コネクタ９０の端面で塞がれるため、バスバー３０がハウジング２０から外れてしまうことを防止することができる。このジョイントコネクタ１の接続端子１０は、従来のもののように特殊形状ではなく、プレス加工などにより安価に製造することができる構造からなるものであるため、ジョイントコネクタ１の製造コストを削減することができる。また、バスバー３０を直接ハウジング２０の接続部収容室２２の連通空間部２２ａに装着するため、従来のキャップ等のバスバー３０を覆う部品が不要となり、ジョイントコネクタ１を安価に製造することができる。
【００１９】
図５は、本発明の他の実施形態に係るジョイントコネクタ及び他のコネクタを示す分解斜視図、図６は、これらのコネクタを嵌合させた様子を示す一部断面図、図７は、このジョイントコネクタの正面図、図８は、このジョイントコネクタの接続端子を示す外観斜視図である。なお、以降において、既に説明した部分と重複する部分の説明は割愛する。
図５に示すように、ジョイントコネクタ１Ａは、上記ジョイントコネクタ１と同様に複数の接続端子１０Ａ（図６及び図８参照）と、これら複数の接続端子１０Ａが収容されるハウジング２０Ａと、このハウジング２０Ａに収容されるバスバー３０Ａとから構成されている点は共通であるが、各接続端子１０Ａの接続部１１の形状、これら接続端子１０Ａを収容する端子収容室２１の形状、及びバスバー３０Ａの形状などが相違している。
【００２０】
複数の接続端子１０Ａは、図６及び図８に示すように、この例では接続部１１は、相手方接続端子８０の接続部８１及びバスバー３０Ａの分岐端子部３１の少なくとも１つを挟持接続する複数のフォーク部１５が、スリット部１７を挟んでその分岐部分を結ぶ方向が直交するＬ字型に形成された形状を備えている。
【００２１】
ハウジング２０Ａは、図６に示すように、複数の端子収容室２１の接続部収容室２２が接続端子１０Ａの接続部１１のフォーク部１５の形状に合わせて形成されており、端子挿入口２３とバスバー挿入口２４の形状が上記ハウジング２０と異なっている。なお、バスバー挿入口２４は連通空間部２２ａと連続した形状で形成されている。
【００２２】
バスバー３０Ａは、このジョイントコネクタ１Ａにおいて、例えば連通空間部２２ａに収容される板状の本体部３２と、この本体部３２の板面に対してプレス加工などにより立設された板状の複数の分岐端子部３１とを備えて構成され、各分岐端子部３１が本体部３２から上方に立直した図５に示すような状態でハウジング２０Ａに収容される。
【００２３】
このように構成されたジョイントコネクタ１Ａでは、上記ジョイントコネクタ１と同様に、接続端子１０Ａをハウジング２０Ａの基端側から端子収容室２１に収容し、バスバー３０Ａをハウジング２０Ａの先端側のバスバー挿入口２４から挿入して本体部３２を連通空間部２２ａに収容することにより、接続端子１０Ａのフォーク部１５にバスバー３０Ａの分岐端子部３１を挿入し、接続端子１０Ａ同士を短絡させることができ、更にフォーク部１５に相手方接続端子８０の接続部８１を挿入して接続を図ることができる。この接続端子１０Ａは安価に製造することができるため、ジョイントコネクタ１Ａの製造コストを削減し、バスバー３０Ａを連通空間部２２ａなどから外れないように押えるためのキャップ等の部品が不要となるため、ジョイントコネクタ１Ａを安価に製造することが可能となる。
【００２４】
図９は、本発明の更に他の実施形態に係るジョイントコネクタ及び他のコネクタを示す分解斜視図、図１０は、これらのコネクタを嵌合させた様子を示す一部断面図、図１１は、このジョイントコネクタの正面図である。
この例のジョイントコネクタ１Ｂは、ハウジング２０Ｂにおけるバスバー挿入口２４、連通空間部２２ａ及び接続部収容室２２の形成態様と、ハウジング２０Ｂへのバスバー３０Ａの挿入態様とが先の例のジョイントコネクタ１Ａと相違している。即ち、バスバー３０Ａは、ハウジング２０Ｂのバスバー挿入口２４に、複数の分岐端子部３１の先端面が挿入方向に向くように挿入され、バスバー挿入口２４の開口側に本体部３２が嵌り収容される連通空間部２２ａが形成されている。
【００２５】
このジョイントコネクタ１Ｂでも、上記ジョイントコネクタ１Ａと同様に、接続端子１０Ａをハウジング２０Ｂの基端側から端子収容室２１に収容し、バスバー３０Ａをハウジング２０Ｂの先端側のバスバー挿入口２４から挿入して本体部３２を連通空間部２２ａに収容することにより、接続端子１０Ａのフォーク部１５にバスバー３０Ａの分岐端子部３１を挿入し、接続端子１０Ａ同士を短絡させることができ、更にフォーク部１５に相手方接続端子８０の接続部８１を挿入して接続を図ることができる。この接続端子１０Ａは安価に製造することができるため、ジョイントコネクタ１Ｂの製造コストを削減し、バスバー３０Ａを連通空間部２２ａなどから外れないように押えるためのキャップ等の部品が不要となるため、ジョイントコネクタ１Ｂを安価に製造することが可能となる。
【００２６】
なお、分岐端子部３１及び本体部３２を有するバスバー３０Ａの代わりに、図１２に示すような折り曲げ加工などにより形成されバスバー３０Ａと同様に分岐端子部３１及び本体部３２を有する形状のバスバー３０Ｂを用いたり、図１３に示すようなプレス加工などにより形成されたバスバー３０Ｃを用いたりしても良い。
【産業上の利用可能性】
【００２７】
本発明は、分岐接続を含む電気的接続を行う各種の用途に利用できる。
【図面の簡単な説明】
【００２８】
【図１】本発明の一実施形態に係るジョイントコネクタ及び他のコネクタを示す分解斜視図である。
【図２】図１の両コネクタを嵌合させた様子を示す一部断面図である。
【図３】同ジョイントコネクタの正面図である。
【図４】同ジョイントコネクタの接続端子を示す外観斜視図である。
【図５】本発明の他の実施形態に係るジョイントコネクタ及び他のコネクタを示す分解斜視図である。
【図６】図５の両コネクタを嵌合させた様子を示す一部断面図である。
【図７】同ジョイントコネクタの正面図である。
【図８】同ジョイントコネクタの接続端子を示す外観斜視図である。
【図９】本発明の更に他の実施形態に係るジョイントコネクタ及び他のコネクタを示す外観斜視図である。
【図１０】図９の両コネクタを嵌合させた様子を示す一部断面図である。
【図１１】同ジョイントコネクタの正面図である。
【図１２】図５及び図９のジョイントコネクタの他のバスバーを示す斜視図である。
【図１３】図５及び図９のジョイントコネクタの他のバスバーを示す斜視図である。
【符号の説明】
【００２９】
１，１Ａ，１Ｂ…ジョイントコネクタ、１０，１０Ａ…接続端子、１１，８１…接続部、１２…電線接続部、１３…電線固定部、１４…帯板部、１５…フォーク部、１６…端子穴部、１７…スリット部、２０，２０Ａ，２０Ｂ…ハウジング、２１…端子収容室、２２…接続部収容室、２２ａ…連通空間部、２３…端子挿入口、２４…バスバー挿入口、２５…端子ランス部、２６…壁部、２７…弾性係合片、２８…突起部、３０，３０Ａ，３０Ｂ，３０Ｃ…バスバー、３１…分岐端子部、３２…本体部、５０…電線、５１…芯線、８０…相手方接続端子、９０…相手方コネクタ、９１…係合枠部。
【図１】
2005123100.tif 000003
【図２】
2005123100.tif 000004
【図３】
2005123100.tif 000005
【図４】
2005123100.tif 000006
【図５】
2005123100.tif 000007
【図６】
2005123100.tif 000008
【図７】
2005123100.tif 000009
【図８】
2005123100.tif 000010
【図９】
2005123100.tif 000011
【図１０】
2005123100.tif 000012
【図１１】
2005123100.tif 000013
【図１２】
2005123100.tif 000014
【図１３】
2005123100.tif 000015